(57)【要約】【課題】閉塞部を容易に形成することができると共に、ある程度の荷重や衝撃が加わっても、閉塞状態が解除されない物品収容ケースを提供する。【解決手段】対向する正面板１１及び背面板１２を有する筒状の胴部２と、この胴部２の下端開口を閉塞する閉塞部３とを備えている。閉塞部３は、胴部２の下端開口を形成している正面板１１及び背面板１２のそれぞれの下端縁に折目線２５，２６を介してそれぞれ連設された正面側底フラップ１６及び背面側底フラップ１７と、正面側底フラップ１６の先端縁に折目線２７を介して連設され、双方のフラップの先端縁同士が略一致するように、背面側底フラップ１７に接着された接着片１８とを備え、それぞれのフラップの張出長さの和が、正面板１１及び背面板１２の下端縁の間隔よりも長くなるように設定されており、一対のフラップが折目線２５、２６で胴部２の内側に折り曲げられている。【選択図】        図６
2010064764.tif 000002
【特許請求の範囲】
【請求項１】
１枚のブランクシートから組み立てられる物品収容ケースであって、
少なくとも対向する一対の胴部形成板を有する筒状の胴部と、
前記胴部の開口端を閉塞する閉塞部とを備え、
前記閉塞部は、前記胴部の開口端を形成している一方の前記胴部形成板の端縁に第１の折目線を介して連設された第１のフラップと、前記胴部の開口端を形成している他方の前記胴部形成板の端縁に第２の折目線を介して連設された第２のフラップと、前記第１のフラップの先端縁に第３の折目線を介して連設され、前記第１のフラップ及び前記第２のフラップの先端縁同士が略一致するように、前記第２のフラップに接着された接着片とを備え、
前記第１のフラップ及び前記第２のフラップの張出長さの和が、一対の前記胴部形成板の端縁の間隔よりも長くなるように設定されており、
前記第１のフラップが前記第１の折目線で前記胴部の内側に折り曲げられると共に、前記第２のフラップが前記第２の折目線で前記胴部の内側に折り曲げられていることを特徴とする物品収容ケース。
【請求項２】
一対の前記胴部形成板のうち、いずれか一方の前記胴部形成板の側縁に易破断線を介して連設され、その胴部形成板に折り重ねた状態で前記胴部内に収容される表示板を備え、
前記ブランクシートは、透明の合成樹脂シートによって形成されており、
前記胴部形成板及び前記表示板には、外面または内面のいずれか一方に、少なくとも、表示印刷層と白色下地印刷層とが形成されていることを特徴とする請求項１に記載の物品収容ケース。
【発明の詳細な説明】
【技術分野】
【０００１】
この発明は、１枚のブランクシートから組み立てられる物品収容ケースに関する。
【背景技術】
【０００２】
プラスチックシートによって形成された１枚のブランクシートから組み立てられる物品収容ケースとしては、例えば、図１４に示すようなものがある。この物品収容ケース５０は、対向する一対の胴部形成板５１ａ、５１ｂの側縁同士が相互に接続された扁平筒状の胴部５１と、この胴部５１の下端開口を閉塞する閉塞部５２とを備えており、収容物品の取出口となる胴部５１の上端開口は、一方の胴部形成板５１ａの上端縁に折目線を介して連設された蓋フラップ５６によって開閉することができるようになっている。
【０００３】
こういった物品収容ケース５０の閉塞部５２の形態としては、例えば、図１５に示すようなものがある。この形態では、胴部５１を形成している、両側縁が相互に接続された一対の胴部形成板５１ａ、５１ｂのうち、一方の胴部形成板５１ａの下端縁に折目線５４を介してフラップ５３を連設し、このフラップ５３を折目線５４で胴部５１内に折り返すことで、胴部５１の下端開口を閉塞するようになっており、フラップ５３は、その張出長さが、一対の胴部形成板５１ａ、５１ｂの間隔よりも長くなっており、折り返すことに伴って発生する復元力により、フラップ５３の先端が他方の胴部形成板５１ｂの内面に接触することで、胴部５１の下端開口を閉塞状態に保持するようになっている。
【０００４】
また、閉塞部５２の他の形態としては、例えば、図１６に示すようなものがある。この形態では、胴部５１を形成している、両側縁が相互に接続された一対の胴部形成板５１ａ、５１ｂの下端縁に折目線５４Ａ、５４Ｂを介してフラップ５３Ａ、５３Ｂをそれぞれ連設し、このフラップ５３Ａ、５３Ｂを折目線５４Ａ、５４Ｂで胴部５１内に折り返して相互に係合させることで、胴部５１の下端開口を閉塞するようになっている。
【０００５】
一方のフラップ５３Ａは、張出長さが短く、折目線５４Ａで単に折り返されているだけであるが、他方のフラップ５３Ｂは、折目線５５ａ、５５ｂを介して、順次連設された折返部５３Ｂａ、底部５３Ｂｂ及び係合部５３Ｂｃから構成されており、折返部５３Ｂａ及び係合部５３Ｂｃは、折目線５４Ｂ、５５ａ間の長さ及び折目線５５ｂからの張出長さがフラップ５３Ａの張出長さと略一致すると共に、底部５３Ｂｂは、折目線５５ａ、５５ｂ間の長さが胴部形成板５１ａ、５１ｂの間隔と略一致するようになっている。
【０００６】
従って、フラップ５３Ｂの折返部５３Ｂａを胴部５１内に折り返し、底部５３Ｂｂ及び係合部５３Ｂｃを折目線５５ａ、５５ｂで順次折り曲げた状態で、係合部５３Ｂｃを一方のフラップ５３Ａと胴部形成板５１ａとの間に差し込むと、胴部５１の下端開口が閉塞状態に保持されるようになっている。
【０００７】
【特許文献１】特開２００６−７６６４５号公報
【特許文献２】特開平１１−２５５２３３号公報
【発明の開示】
【発明が解決しようとする課題】
【０００８】
しかしながら、上述した物品収容ケース５０の閉塞部５２として採用されている形態では、局部的な荷重が加わったときに閉塞部５２の閉塞状態が解除され、収容物品が脱落してしまうといった問題がある。
【０００９】
例えば、図１５に示す形態の閉塞部５２は、フラップ５３を単に胴部５１内に折り返しただけなので、フラップ５３に荷重や衝撃が加わると、フラップ５３が容易に変形して胴部５１から抜け出てしまい、閉塞状態を維持することができなくなるのである。
【００１０】
また、図１６に示す形態の閉塞部５２は、胴部５１内に折り返した一方のフラップ５３Ａと胴部形成板５１ａとの間に他方のフラップ５３Ｂの係合部５３Ｂｃを差し込んでいるだけなので、他方のフラップ５３Ｂの底部５３Ｂｂに荷重や衝撃が加わると、その力が係合部５３Ｂｃを介して一方のフラップ５３Ａに作用し、その結果、一対のフラップ５３Ａ、５３Ｂは、相互の係合状態が解除されて胴部５１から抜け出てしまい、閉塞状態を維持することができなくなるのである。
【００１１】
そこで、この発明の課題は、閉塞部を容易に形成することができると共に、ある程度の荷重や衝撃が加わっても、閉塞状態が解除されない物品収容ケースを提供することにある。
【課題を解決するための手段】
【００１２】
上記の課題を解決するため、請求項１に係る発明は、１枚のブランクシートから組み立てられる物品収容ケースであって、少なくとも対向する一対の胴部形成板を有する筒状の胴部と、前記胴部の開口端を閉塞する閉塞部とを備え、前記閉塞部は、前記胴部の開口端を形成している一方の前記胴部形成板の端縁に第１の折目線を介して連設された第１のフラップと、前記胴部の開口端を形成している他方の前記胴部形成板の端縁に第２の折目線を介して連設された第２のフラップと、前記第１のフラップの先端縁に第３の折目線を介して連設され、前記第１のフラップ及び前記第２のフラップの先端縁同士が略一致するように、前記第２のフラップに接着された接着片とを備え、前記第１のフラップ及び前記第２のフラップの張出長さの和が、一対の前記胴部形成板の端縁の間隔よりも長くなるように設定されており、前記第１のフラップが前記第１の折目線で前記胴部の内側に折り曲げられると共に、前記第２のフラップが前記第２の折目線で前記胴部の内側に折り曲げられていることを特徴とする物品収容ケースを提供するものである。
【００１３】
請求項２に係る発明は、請求項１に係る発明の物品収容ケースにおいて、一対の前記胴部形成板のうち、いずれか一方の前記胴部形成板の側縁に易破断線を介して連設され、その胴部形成板に折り重ねた状態で前記胴部内に収容される表示板を備え、前記ブランクシートは、透明の合成樹脂シートによって形成されており、前記胴部形成板及び前記表示板には、外面または内面のいずれか一方に、少なくとも、表示印刷層と白色下地印刷層とが形成されていることを特徴としている。
【発明の効果】
【００１４】
以上のように、請求項１に係る発明の物品収容ケースは、閉塞部が、胴部の開口端を形成している一方の胴部形成板の端縁に第１の折目線を介して連設された第１のフラップと、胴部の開口端を形成している他方の胴部形成板の端縁に第２の折目線を介して連設された第２のフラップと、第１のフラップの先端縁に第３の折目線を介して連設され、第１のフラップ及び第２のフラップの先端縁同士が略一致するように、第２のフラップに接着された接着片とを備えており、さらに、第１のフラップ及び第２のフラップの張出長さの和が、一対の胴部形成板の端縁の間隔よりも長くなるように設定されているので、胴部内の物品収容空間側から第１のフラップ及び第２のフラップにある程度の荷重が加わっても、第１のフラップ及び第２のフラップが胴部から押し出されることがなく、胴部の開口端を閉塞状態に保持することができる。即ち、接着片を介して相互に接続された第１のフラップ及び第２のフラップを歪に変形させるような過大な力が作用しない限り、第１のフラップ及び第２のフラップが胴部から押し出されることがなく、胴部の開口端を閉塞状態に保持することができる。
【００１５】
また、この物品収容ケースを組み立てる前は、接着片を介して相互に接続された第１のフラップ及び第２のフラップが胴部の開口端から外側に張り出した状態になっているが、一対の胴部形成板及び第１のフラップ及び第２のフラップがシートによって形成されているので、接着片を介して相互に接続された第１のフラップ及び第２のフラップを強制的に変形させて胴部内に押し込むだけで、ある程度の荷重が加わっても第１のフラップ及び第２のフラップが胴部から容易に押し出されることがない閉塞部が形成される。
【００１６】
特に、接着片が接着された第２のフラップは腰が強くなっているので、第１のフラップ及び第２のフラップを強制的に変形させて胴部内に押し込む際、第１のフラップ及び第２のフラップを胴部内に押し込みやすいという効果も得られる。
【００１７】
また、仮に過大な力が加わって第１のフラップ及び第２のフラップが胴部外に押し出された、或いは押し出されそうになったとしても、閉塞部を形成している第１のフラップ及び第２のフラップは接着片を介して相互に接続されているので、胴部内から収容物品が脱落してしまうこともない。
【００１８】
また、請求項２に係る発明の物品収容ケースは、一方の胴部形成板の側縁に易破断線を介して連設され、その胴部形成板に折り重ねた状態で胴部内に収容される表示板を備えているので、開封後に、その表示板だけを易破断線で胴部から切り離して取り出すことができる。従って、この物品収容ケースでは、表示板を収容物品の説明書として使用することができ、収容物品の説明書を別途ケース内に収容する必要がないので、ブランクシートから物品収容ケースを組み立てながら、内容物である物品を収容するだけでよく、包装工程が容易になる。
【００１９】
また、ブランクシートは、透明の合成樹脂シートによって形成されており、胴部形成板及び表示板には、外面または内面のいずれか一方に、少なくとも、表示印刷層と白色下地印刷層とが形成されており、表示板を、それが連設されている胴部形成板に折り重ねた状態で、胴部内に収容しているので、表示板に形成された表示印刷層と表示板が折り重ねられる胴部形成板に形成された表示印刷層との間には、表示板に形成された白色下地印刷層と胴部形成板に形成された白色下地印刷層といった２層の白色下地印刷層が介在することになる。従って、オフセット印刷で白色下地印刷層を形成する場合のように、十分な白色濃度を確保することができない場合であっても、胴部形成板に施された表示を外から見たときに、表示板に施された表示が透けて見えることがない。
【００２０】
また、表示板が胴部内に収容されているので、表示板を胴部形成板の外面に折り重ねる場合のように、表示板を胴部形成板に重ね合わせた状態に保持するための保持手段を設ける必要がなく、輸送途中で、何らかの要因によって保持手段による保持が解除されて表示板がビラビラしたり、折れたりするおそれもない。
【発明を実施するための最良の形態】
【００２１】
以下、実施の形態について図面を参照して説明する。図１〜図３に示す物品収容ケース１は、ポリエチレンテレフタレート等のポリエステル、ポリ塩化ビニル、ポリプロピレン、ポリスチレン等からなる硬質または半硬質のプラスチックシートによって形成された、図１０の展開図に示す構成のブランクシートＢＳから組み立てられる。
【００２２】
前記ブランクシートＢＳは、正面板１１の一方の側縁に、折目線２１及び易破断線２２を介して、背面板１２及び表示板１３が連設されていると共に、前記正面板１１の他方の側縁には、折目線２３を介して、糊代板１４が連設されており、正面板１１と背面板１２とによって筒状の胴部２が形成されるようになっている。
【００２３】
前記易破断線２２は、表示板１３の側縁に分散配置された長さ３ｍｍ程度の複数の折目部分と、各折目部分の両側に形成された切目部分とから構成されており、背面板１２と表示板１３とは、数箇所の折目部分だけで繋がっているので、表示板１３を背面板１２から容易に切り離すことができる。
【００２４】
また、前記正面板１１の上縁及び下縁には、折目線２４、２５を介して、蓋板１５及び正面側底フラップ１６が連設されており、背面板１２の下縁には、折目線２６を介して、背面側底フラップ１７が連設されている。
【００２５】
前記正面側底フラップ１６は、組み立てたときに胴部２を形成する、正面板１１の下端中央部と背面板１２の下端中央部の間隔Ｌ（図３参照）の約半分（約Ｌ／２）の張出長さを有しており、その先端縁の中央部には、折目線２７を介して、背面側底フラップ１７に接着される接着片１８が連設されている。
【００２６】
前記背面板１２の下縁は、幅方向の中央部の水平縁と、この水平縁の両端部から背面板１２の両側縁における正面板１１の下縁に対応する位置に至る傾斜縁とから構成されており、水平縁は、正面板１１の中央部と背面板１２の中央部の間隔Ｌ（図３参照）の約半分（約Ｌ／２）だけ、正面板１１の下縁よりも上方側に位置している。従って、折目線２６も、背面板１２の下縁（傾斜縁、水平縁、傾斜縁）に対応するように屈曲（湾曲）している。
【００２７】
前記背面側底フラップ１７は、その先端縁が、背面板１２の両側縁の下端同士を結ぶ線に対して、折目線２６と対称形状に形成された、扁平な略六角形状（舟形形状）を有しており、最も張出長さの長い幅方向の中央部が正面側底フラップ１６の先端縁に対応する位置まで張り出している。即ち、背面側底フラップ１７は、幅方向の各位置において、その位置における正面板１１と背面板１２の間隔と略同一長さを有しており、背面側底フラップ１７の中央部は、正面板１１の中央部と背面板１２の中央部の間隔Ｌと略同一長さを有している。
【００２８】
前記蓋板１５には、前記背面板１２に形成された切目３１に差し込まれる係合片１５Ａを形成する切目３２と、吊下片１５Ｂを形成する切目３３及び切目３３の両端を結ぶ折目線３４とが形成されており、前記吊下片１５Ｂには、吊下穴１５Ｃを形成するための切れ目３５が形成されている。
【００２９】
また、糊代板１４は、その下端縁が正面板１１の下端縁に対応する位置に一致しているが、表示板１３は、背面板１２の下縁中央部（水平縁）よりも上側に位置するようになっており、糊代板１４の上下方向の長さは、正面板１１及び背面板１２に比べて短くなっている。
【００３０】
前記ブランクシートＢＳを形成している透明のプラスチックシートＰＳには、図１１に示すように、少なくとも、正面板１１、背面板１２及び表示板１３の内面側に文字やデザイン等を表示する部分的にオフセット印刷されたカラー表示印刷層ＣＲと、全面にオフセット印刷された白色下地印刷層ＷＲとが順次積層されており、正面板１１、背面板１２及び表示板１３の外面側からは、透明のプラスチックシートＰＳを通して、白色下地の上に文字やデザイン等が施された状態で視認できるようになっている。
【００３１】
以上のように構成されたブランクシートＢＳは、図１２（ａ）に示すように、表示板１３を易破断線２２で背面板１２に折り重ねた後、この背面板１２を折目線２１で正面板１１側に折り重ね、同図（ｂ）に示すように、接着片１８を折目線２７で背面側底フラップ１７に折り重ねて、接着剤や両面接着テープ等を用いて接着する。
【００３２】
最後に、糊代板１４を折目線２３で正面板１１（正面板１１に折り重ねた背面板１２）側に折り重ねて、糊代板１４を背面板１２に接着することで、図１３（ａ）、（ｂ）に示すように、筒状の胴部２及び胴部２の下端開口を閉塞する閉塞部３が形成された扁平に折り畳まれた状態の物品収容ケース１が形成される。
【００３３】
このように、扁平に折り畳まれた状態の物品収容ケース１を、物品を収容可能な状態にするには、胴部２を握って筒状に広げながら、閉塞部３を形成している、接着片１８によって相互に接続された正面側底フラップ１６及び背面側底フラップ１７の先端縁を胴部２内に押し込むと、図４〜図６に示すように、正面側底フラップ１６の中央部が正面板１１の内面に沿うように立ち上がると共に、略六角形状（舟形形状）の背面側底フラップ１７が胴部２の下端開口を閉塞し、相互に接着された背面側底フラップ１７の中央部と接着片１８とが胴部２を形成している正面板１１及び背面板１２に対して略直角（略水平状態）になると共に、正面側底フラップ１６の両側部が傾斜した背面側底フラップ１７の両側部を覆うように、正面板１１側から背面板１２側に張り出して、背面側底フラップ１７の両側部を押さえ込んだ状態となり、胴部２の開口端を閉塞状態に保持する底部が形成される。
【００３４】
なお、背面板１２の下端縁は、その両端部を除いて、正面板１１の下端縁よりも高い位置にあるが、背面板１２に接着された糊代板１４の下端縁が正面板１１の下端縁と同一の高さ位置にあるので、糊代板１４の下端部が支持脚となって、物品収容ケース１を起立させた状態に載置することができる。
【００３５】
このようにして組み立てられた物品収容ケース１に内容物である物品を収容する際は、図７に示すように、胴部２内に収容された表示板１３を、それが連設されている背面板１２に重ね合わせて、表示板１３と正面板１１とによって物品の収容空間を形成し、この収容空間内に物品を収容する。
【００３６】
このようにして組み立てられた物品収容ケース１に内容物である物品を収容した後は、折目線２４で蓋板１５を背面板１２側に折り畳み、蓋板１５に形成された係合片１５Ａを、背面板１２に形成された切目３１に差し込んで、蓋板１５を折り畳んだ状態に保持することで、物品の取出口を閉塞する。
【００３７】
また、物品を収容した状態の物品収容ケース１を店頭に陳列する際は、陳列棚に物品収容ケース１を載置するか、蓋板１５か起こした吊下片１５Ｂの吊下穴１５Ｃに吊下バーを通して、吊り下げることになる。
【００３８】
また、収容物品の説明等が表示板１３に表示されている場合、この物品収容ケース１に収容された物品の購入者は、蓋板１５を開いて開封した後、表示板１３を摘んで引き上げることによって、表示板１３を胴部２（背面板１２）から容易に切り離すことができ、収容物品の説明等が表示された表示板１３をケースとは個別に取り扱うことができる。
【００３９】
以上のように、この物品収容ケース１は、閉塞部３が、胴部２の開口端を形成している正面板１１及び背面板１２のそれぞれの下端縁に折目線２５、２６を介してそれぞれ連設された正面側底フラップ１６及び背面側底フラップ１７と、正面側底フラップ１６の先端縁に折目線２７を介して連設され、正面側底フラップ１６及び背面側底フラップ１７の先端縁同士が略一致するように、背面側底フラップ１７に接着された接着片１８とを備えており、さらに、正面側底フラップ１６及び背面側底フラップ１７の中央部の張出長さの和（Ｌ／２＋Ｌ）が、正面板１１及び背面板１２の下端縁の間隔（Ｌ）よりも長くなるように設定されているので、胴部２内の物品収容空間側から正面側底フラップ１６及び背面側底フラップ１７にある程度の荷重が加わっても、正面側底フラップ１６及び背面側底フラップ１７が胴部２から押し出されることがなく、胴部２の開口端を閉塞状態に保持することができる。即ち、接着片１８を介して相互に接続された正面側底フラップ１６及び背面側底フラップ１７を歪に変形させるような過大な力が作用しない限り、正面側底フラップ１６及び背面側底フラップ１７が胴部２から押し出されることがなく、胴部２の開口端を閉塞状態に保持することができる。
【００４０】
特に、接着片１８が接着された背面側底フラップ１７は腰が強くなっているので、正面側底フラップ１６及び背面側底フラップ１７を強制的に変形させて胴部内に押し込む際、正面側底フラップ１６及び背面側底フラップ１７を胴部２内に押し込みやすいという効果も得られる。
【００４１】
また、仮に過大な力が加わって正面側底フラップ１６及び背面側底フラップ１７が胴部２外に押し出された、或いは押し出されそうになったとしても、閉塞部３を形成している正面側底フラップ１６及び背面側底フラップ１７は接着片１８を介して相互に接続されているので、胴部２内から収容物品が脱落してしまうこともない。
【００４２】
さらに、この物品収容ケース１は、正面側底フラップ１６の張出長さ（約Ｌ／２）を、背面側底フラップ１７の中央部の張出長さ（約Ｌ）の約半分に設定すると共に、背面板１２の下縁中央部を、正面板１１の中央部と背面板１２の中央部の間隔Ｌの約半分（約Ｌ／２）だけ、正面板１１の下縁よりも上方側に位置させているので、正面板１１及び背面板１２の幅方向の中央部に形成される底部が略水平状態となり、体裁も良い。
【００４３】
また、この物品収容ケース１は、背面板１２の側縁に易破断線２２を介して連設され、その背面板１２に折り重ねた状態で胴部２内に収容される表示板１３を備えているので、開封後に、その表示板１３だけを易破断線２２で胴部２から切り離して取り出すことができる。従って、この物品収容ケース１では、表示板１３を収容物品の説明書として使用することができ、収容物品の説明書を別途ケース内に収容する必要がないので、ブランクシートＢＳから物品収容ケース１を組み立てながら、内容物である物品を収容するだけでよく、包装工程が容易になる。
【００４４】
また、ブランクシートＢＳは、透明のプラスチックシートＰＳによって形成されており、正面板１１、背面板１２及び表示板１３には、その内面側に、カラー表示印刷層ＣＲと白色下地印刷層ＷＲとが積層されており、表示板１３を、それが連設されている背面板１２に折り重ねた状態で、胴部２内に収容しているので、図８に示すように、表示板１３に形成されたカラー表示印刷層ＣＲと表示板１３が折り重ねられる背面板１２に形成されたカラー表示印刷層ＣＲとの間には、表示板１３に形成された白色下地印刷層ＷＲと背面板１２に形成された白色下地印刷層ＷＲといった２層の白色下地印刷層ＷＲ、ＷＲが介在することになる。従って、このブランクシートＢＳのように、オフセット印刷で白色下地印刷層ＷＲを形成しているために、十分な白色濃度を確保することができない場合であっても、背面板１２に施された表示を外から見たときに、表示板１３に施された表示が透けて見えることがない。
【００４５】
また、表示板１３を胴部２（正面板１１、背面板１２）の外面に折り重ねる場合は、表示板１３を胴部２（正面板１１、背面板１２）に重ね合わせた状態に保持するための保持手段を設ける必要があるが、この物品収容ケース１では、表示板１３が胴部２内に収容されているので、そういった保持手段を別途設ける必要がなく、輸送途中で、何らかの要因によって保持手段による保持が解除されて表示板がビラビラしたり、折れたりするおそれもない。
【００４６】
なお、上述した実施形態では、背面板１２の全幅にわたって背面側底フラップ１７を形成しているが、これに限定されるものではなく、収容物品が脱落しないのであれば、背面板１２の下端縁における水平な中央部分だけに背面側底フラップを形成してもよい。その場合、正面側底フラップ１６も正面板１１の全幅にわたって形成する必要はなく、背面側底フラップに対応する部分だけに形成するものであってもよい。
【００４７】
また、上述した実施形態では、正面板１１及び背面板１２の幅方向の中央部に形成される底部を略水平状態にするために、正面側底フラップ１６の張出長さ（約Ｌ／２）を、背面側底フラップ１７の中央部の張出長さ（約Ｌ）の約半分に設定すると共に、背面板１２の下縁中央部を、正面板１１の中央部と背面板１２の中央部の間隔Ｌの約半分（約Ｌ／２）だけ、正面板１１の下縁よりも上方側に位置させているが、これに限定されるものではなく、少なくとも、正面側底フラップ１６の先端縁と背面側底フラップ１７の先端縁とが略一致する部分（この場合、幅方向の中央部）の張出長さの和が、正面板１１及び背面板１２の下端縁の間隔よりも長くなるように設定しておけばよい。
【００４８】
また、上述した実施形態では、接着片１８を正面側底フラップ１６に連設しているが、これに限定されるものではなく、背面側底フラップ１７に連設してもよいことは言うまでもない。
【００４９】
また、上述した実施形態では、ブランクシートＢＳの内面側にカラー表示印刷層ＣＲ及び白色下地印刷層ＷＲを形成しているが、これに限定されるものではなく、ブランクシートＢＳの外面側にカラー表示印刷層ＣＲ及び白色下地印刷層ＷＲを形成してもよい。その場合も、上述した実施形態と同様に、表示板１３を背面板１２に折り重ねると、図９に示すように、表示板１３に形成されたカラー表示印刷層ＣＲと表示板１３が折り重ねられる背面板１２に形成されたカラー表示印刷層ＣＲとの間には、表示板１３に形成された白色下地印刷層ＷＲと背面板１２に形成された白色下地印刷層ＷＲといった２層の白色下地印刷層ＷＲ、ＷＲが介在することになるので、白色下地印刷層ＷＲが十分な白色濃度を確保することができない場合であっても、背面板１２に施された表示を外から見たときに、表示板１３に施された表示が透けて見えることがない。
【００５０】
また、上述した実施形態では、胴部２を正面板１１と背面板１２とによって形成しているが、対向する一対の胴部形成板を備えているのであれば、３枚以上の胴部形成板によって胴部を形成することも可能である。
【００５１】
また、上述した実施形態では、胴部２の下端開口だけを正面側底フラップ１６及び背面側底フラップ１７を備えた閉塞部３によって閉塞しているが、これに限定されるものではなく、胴部の両端開口に同様の閉塞部を設け、胴部形成板を開いて開封するようにしてもよい。
【００５２】
また、ブランクシートにおける胴部形成板（正面板１１、背面板１２）及び表示板（表示板１３）の内面側または外面側には、少なくとも、表示印刷層及び白色下地印刷層が形成されていればよく、他の印刷層が介在するものであってもよい。
【図面の簡単な説明】
【００５３】
【図１】（ａ）はこの発明に係る物品収容ケースの一実施形態を正面側から視た斜視図、（ｂ）は同上の物品収容ケースを背面側から視た斜視図である。
【図２】（ａ）は同上の物品収容ケースを示す正面図、（ｂ）は同上の物品収容ケースを示す背面図である。
【図３】（ａ）は同上の物品収容ケースを示す左側面図、（ｂ）は同上の物品収容ケースを示す右側面図である。
【図４】同上の物品収容ケースを示す底面図である。
【図５】同上の物品収容ケースの背面下部を示す詳細背面図である。
【図６】同上の物品収容ケースの閉塞部を示す拡大断面図である。
【図７】同上の物品収容ケースの胴部を示す拡大横断面図である。
【図８】同上の物品収容ケースにおける背面板と表示板との重なり合い状態を示す拡大断面図である。
【図９】ブランクシートの外面側にカラー表示印刷層や白色下地印刷層を形成した場合の背面板と表示板との重なり合い状態を示す拡大断面図である。
【図１０】同上の物品収容ケースを組み立てるブランクシートを示す平面図である。
【図１１】同上のブランクシートを示す断面図である。
【図１２】（ａ）、（ｂ）は同上のブランクシートから物品収容ケースを組み立てる組立方法を説明するための工程図である。
【図１３】（ａ）は同上の物品収容ケースを扁平に折り畳んだ状態を示す正面図、（ｂ）は同上の物品収容ケースを扁平に折り畳んだ状態を示す背面図である。
【図１４】（ａ）は従来の物品収容ケースを示す斜視図、（ｂ）は同上の物品収容ケースを示す正面図、（ｃ）は同上の物品収容ケースを示す側面図である。
【図１５】従来の物品収容ケースに採用されている閉塞部の形態を示す斜視図である。
【図１６】従来の物品収容ケースに採用されている閉塞部の他の形態を示す斜視図である。
【符号の説明】
【００５４】
１  物品収容ケース
２  胴部
３  閉塞部
１１  正面板（胴部形成板）
１２  背面板（胴部形成板）
１３  表示板
１４  糊代板
１５  蓋板
１５Ａ  係合片
１５Ｂ  吊下片
１５Ｃ  吊下穴
１６  正面側底フラップ（第１のフラップ）
１７  背面側底フラップ（第２のフラップ）
１８  接着片
２１、２３、２４  折目線
２２  易破断線
２５  折目線（第１の折目線）
２６  折目線（第２の折目線）
２７  折目線（第３の折目線）
３１、３２、３３、３５  切目
３４  折目線
ＢＳ  ブランクシート
ＰＳ  プラスチックシート
ＣＲ  カラー表示印刷層
ＷＲ  白色下地印刷層
【図１】
2010064764.tif 000003
【図２】
2010064764.tif 000004
【図３】
2010064764.tif 000005
【図４】
2010064764.tif 000006
【図５】
2010064764.tif 000007
【図６】
2010064764.tif 000008
【図７】
2010064764.tif 000009
【図８】
2010064764.tif 000010
【図９】
2010064764.tif 000011
【図１０】
2010064764.tif 000012
【図１１】
2010064764.tif 000013
【図１２】
2010064764.tif 000014
【図１３】
2010064764.tif 000015
【図１４】
2010064764.tif 000016
【図１５】
2010064764.tif 000017
【図１６】
2010064764.tif 000018